【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
シームレスなネットワーク接続を容易にするためのワイヤレスシステムにおいて、
（ａ）統合端末であって、
（ｉ）第１のアクセスポイント（ＡＰ）と、
（ｉｉ）第１のインタフェース経由で前記第１のＡＰに連結したワイヤレス送受信ユニット（ＷＴＲＵ）と
を含む統合端末と、
（ｂ）第２のインタフェース経由で前記統合端末に連結したユニバーサル地上無線アクセスネットワーク（ＵＴＲＡＮ）と、
（ｃ）第３のインタフェース経由で前記統合端末に連結した少なくとも１つのワイヤレスローカルエリアネットワーク（ＷＬＡＮ）アクセスデバイスと
を備えたことを特徴とするワイヤレスシステム。
【請求項２】
前記ＵＴＲＡＮが、前記第３のインタフェース経由で外部ネットワークへのアクセスを前記ＷＬＡＮアクセスデバイスに与えることを特徴とする請求項１に記載のシステム。
【請求項３】
（ｄ）第４のインタフェース経由で前記ＷＬＡＮアクセスデバイスに連結した第２のＡＰをさらに備え、前記ＷＬＡＮアクセスデバイスが前記第３のインタフェースまたは第４のインタフェースのいずれかを選択することによって前記外部ネットワークへアクセスすることを特徴とする請求項２に記載のシステム。
【請求項４】
シームレスなネットワーク接続を容易にするためのワイヤレスシステムにおいて、
（ａ）統合端末であって、
（ｉ）第１のアクセスポイント（ＡＰ）と、
（ｉｉ）第１のインタフェース経由で前記第１のＡＰに連結したワイヤレス送受信ユニット（ＷＴＲＵ）と、
（ｂ）第２のインタフェース経由で前記統合端末に連結したユニバーサル地上無線アクセスネットワーク（ＵＴＲＡＮ）と、
（ｃ）第３のインタフェース経由で前記統合端末に連結した少なくとも１つのワイヤレスローカルエリアネットワーク（ＷＬＡＮ）アクセスデバイスであって、前記ＵＴＲＡＮが前記第３のインタフェース経由で外部ネットワークへアクセスする前記ＷＬＡＮアクセスデバイスを備えた、ＷＬＡＮアクセスデバイスと、
（ｄ）第４のインタフェース経由で前記ＷＬＡＮアクセスデバイスに連結した第２のＡＰであって、前記ＷＬＡＮアクセスデバイスが前記第３のインタフェースまたは第４のインタフェースのいずれかを選択することによって前記第外部のネットワークへアクセスする、第２のＡＰと、
を備えたことを特徴とするワイヤレスシステム。
【請求項５】
前記第２、第３および第４のインタフェースのそれぞれがワイヤレスインタフェースであることを特徴とする請求項３または４に記載のシステム。
【請求項６】
前記外部ネットワークがインターネットであることを特徴とする請求項２または４に記載のシステム。
【請求項７】
前記ＷＴＲＵおよび前記ＵＴＲＡＮが、前記外部ネットワークへの第３世代（３Ｇ）コネクションを手動または自動で確立することを特徴とする請求項２または４に記載のシステム。
【請求項８】
前記ＷＬＡＮアクセスデバイスが、標準ＩＥＥＥ８０２．１１のアクティブまたはパッシブスキャン方法によって前記統合端末を認識することを特徴とする請求項７に記載のシステム。
【請求項９】
前記３Ｇコネクションが、事前設定の無活動タイマのタイムアウト後に解放されることを特徴とする請求項７に記載のシステム。
【請求項１０】
前記３Ｇコネクションが、異なる無線アクセス技術を使用するサービスプロバイダ間で、一貫してサービスを提供するため、または高速なハンドオーバを容易にするために、永続的に確立されることを特徴とする請求項７に記載のシステム。
【請求項１１】
前記第２および第３のインタフェースのそれぞれが、異なる無線アクセス技術に関連づけられ、互いに論理的に独立であることを特徴とする請求項１または４に記載のシステム。
【請求項１２】
前記統合端末がＩＥＥＥ８０２．１１仕様に従って動作することを特徴とする請求項１または４に記載のシステム。
【請求項１３】
前記ＷＬＡＮアクセスデバイスがＩＥＥＥ８０２．１１仕様に従って動作することを特徴とする請求項１または４に記載のシステム。
【請求項１４】
前記第２のＡＰがＩＥＥＥ８０２．１１仕様に従って動作することを特徴とする請求項３または４に記載のシステム。
【請求項１５】
前記ＵＴＲＡＮが第３世代（３Ｇ）仕様に従って動作することを特徴とする請求項１または４に記載のシステム。
【請求項１６】
前記ＷＴＲＵが第３世代（３Ｇ）仕様に従って動作することを特徴とする請求項１または４に記載のシステム。
【請求項１７】
前記ＷＬＡＮアクセスデバイスがラップトップコンピュータであることを特徴とする請求項１または４に記載のシステム。
【請求項１８】
前記ＷＬＡＮアクセスデバイスが携帯情報端末（ＰＤＡ）であることを特徴とする請求項１または４に記載のシステム。
【請求項１９】
前記統合端末が、複数の独立のアクセスデバイスおよび／または前記統合端末内のインターネットプロトコル（ＩＰ）アプリケーションが同時にサポートされることを可能にするための、前記第１のＡＰに連結したＩＰアプリケーションプロセッサをさらに備えたことを特徴とする請求項１または４に記載のシステム。
【請求項２０】
シームレスなネットワーク接続を容易にするためのワイヤレスシステムにおいて、
（ａ）統合端末であって、
（ｉ）アクセスポイント（ＡＰ）と、
（ｉｉ）第１のインタフェース経由で前記ＡＰに連結したワイヤレス送受信ユニット（ＷＴＲＵ）と
を含む統合端末と、
（ｂ）第２のインタフェース経由で前記統合端末に連結したユニバーサル地上無線アクセスネットワーク（ＵＴＲＡＮ）と、
（ｃ）第３のインタフェース経由で前記統合端末に連結した少なくとも１つのワイヤレスローカルエリアネットワーク（ＷＬＡＮ）アクセスデバイスと
を備え、
前記ＵＴＲＡＮが、前記第３のインタフェース経由で外部ネットワークへアクセス可能な前記ＷＬＡＮアクセスデバイスを備え、前記ＷＴＲＵと前記ＵＴＲＮが、外部ネットワークへの第３世代（３Ｇ）コネクションを構築し、前記３Ｇコネクションが、事前設定した無活動時間のタイムアウトのときに解放されることを特徴とするワイヤレスシステム。
【請求項２１】
前記外部ネットワークがインターネットであることを特徴とする請求項２０に記載のシステム。
【請求項２２】
シームレスなネットワーク接続を容易にするためのワイヤレスシステムにおいて、
（ａ）統合端末であって、
（ｉ）アクセスポイント（ＡＰ）と、
（ｉｉ）第１のインタフェース経由で前記ＡＰに連結したワイヤレス送受信ユニット（ＷＴＲＵ）であって、該ＷＴＲＵが第３世代（３Ｇ）仕様に従って動作するＷＴＲＵと
を含む統合端末と、
（ｂ）第２のインタフェース経由で前記統合端末に連結したユニバーサル地上無線アクセスネットワーク（ＵＴＲＡＮ）と、
（ｃ）第３のインタフェース経由で前記統合端末に連結した少なくとも１つのワイヤレスローカルエリアネットワーク（ＷＬＡＮ）アクセスデバイスと
を備えたことを特徴とするワイヤレスシステム。
【請求項２３】
シームレスなネットワーク接続を容易にするためのワイヤレスシステムにおいて、
（ａ）統合端末であって、
（ｉ）第１のアクセスポイント（ＡＰ）と、
（ｉｉ）第１のインタフェース経由で前記第１のＡＰに連結したワイヤレス送受信ユニット（ＷＴＲＵ）と、
（ｂ）第２のインタフェース経由で前記統合端末に連結した第１のネットワークと、
（ｃ）第３のインターフエース経由で前記統合端末に連結した少なくとも１つのネットワークアクセスデバイスと、
を備え、前記第１のネットワークは、前記第３のインタフェース経由で第２のネットワークへアクセスする前記ネットワークアクセスデバイスを有することを特徴とするワイヤレスシステム。
【請求項２４】
（ｄ）第４のインタフェース経由で前記ネットワークアクセスデバイスに連結した第２のＡＰをさらに備え、前記ネットワークアクセスデバイスが前記第３のインタフェースまたは第４のインタフェースのいずれかを選択することによって前記第２のネットワークへアクセスすることを特徴とする請求項２３に記載のシステム。
【請求項２５】
シームレスなネットワーク接続を容易にするためのワイヤレスシステムにおいて、
（ａ）統合端末であって、
（ｉ）第１のアクセスポイント（ＡＰ）と、
（ｉｉ）第１のインタフェース経由で前記第１のＡＰに連結したワイヤレス送受信ユニット（ＷＴＲＵ）と、
（ｂ）第２のインタフェース経由で前記統合端末に連結した第１のネットワークと、
（ｃ）第２のネットワークと、
（ｄ）第３のインターフエース、前記統合端末および前記第２のインタフェース経由で前記第２のネットワークへアクセスするネットワークアクセスデバイスを提供するために、前記第３のインタフェース経由で前記統合端末に連結した少なくとも１つのネットワークアクセスデバイスと、
（ｅ）第４のインタフェース経由で第２のＡＰを介して前記第２のネットワークへアクセスする前記ネットワークアクセスデバイスを提供するために、該第４のインターフェース経由で前記ネットワークアクセスデバイスに連結した第２のＡＰと、
を備えたことを特徴とするワイヤレスシステム。
【請求項２６】
前記第２のネットワークが前記第２のＡＰと前記第１のネットワークの両方に連結していることを特徴とする請求項２５に記載のシステム。
【請求項２７】
前記第２、前記第３、および前記第４のインタフェースの各々がワイヤレスインタフェースであることを特徴とする請求項２５に記載のシステム。
【請求項２８】
前記第１のネットワークがユニバーサル地上無線アクセスネットワーク（ＵＴＲＡＮ）であることを特徴とする請求項２３または２５に記載のシステム。
【請求項２９】
前記第２のネットワークがインターネットであることを特徴とする請求項２３または２５に記載のシステム。
【請求項３０】
前記ネットワークアクセスデバイスがワイヤレスローカルエリアネットワーク（ＷＬＡＮ）アクセスデバイスであることを特徴とする請求項２３または２５に記載のシステム。